(57)【要約】【課題】建物ユニットに作用する水平荷重及び鉛直荷重に対する建物ユニットの剛性を確保することができる建物の補強構造を得る。【解決手段】建物ユニット１４は、中柱６８と支持部５４とを備えている。そして、中柱６８は、建物高さ方向から見て躯体３０の一方向他方側の柱３６の近傍に配置されると共に、躯体１８の天井大梁２６と、天井大梁２６と建物高さ方向に対向して配置された躯体１８の床大梁２８とを建物高さ方向に連結している。一方、支持部５４は、建物高さ方向から見て中柱６８の近傍に配置されると共に、躯体１８の床大梁２８と、基礎１２の一部を構成する柱型部４２Ｂとの間に介在している。このため、躯体１８の天井大梁２６に作用する鉛直荷重が、中柱６８を介して躯体１８の床大梁２８に伝達されると共に、床大梁２８及び支持部５４を介して基礎１２に伝達されて基礎１２によって支持される。【選択図】図１
2020114977.tif 000002
【特許請求の範囲】
【請求項１】
第１の躯体を備え、一方向を長手方向として配置されて建物の下階側を構成する下階側建物ユニットと、
第２の躯体を備え、当該第２の躯体の前記一方向一方側の柱が建物高さ方向から見て前記第１の躯体の当該一方側の柱と重なるように前記下階側建物ユニットの上面に載置されて前記建物の上階側を構成すると共に、当該一方向他方側の側面が前記下階側建物ユニットの当該他方側の側面に対して当該一方側にオフセットされたセットバックユニットとされた上階側建物ユニットと、
前記下階側建物ユニットを支持する基礎と、
を備え、
前記第１の躯体の天井大梁と、当該天井大梁と建物高さ方向に対向して配置された当該第１の躯体の床大梁とは、建物高さ方向から見て前記第２の躯体の前記一方向他方側の柱の近傍に配置された中柱で建物高さ方向に連結され、
前記床大梁と、前記基礎の一部を構成しかつ当該床大梁の建物下方側に配置されると共に地上に露出された露出部とは、建物高さ方向から見て前記中柱の近傍に配置されると共に当該床大梁と当該露出部との間に介在する支持部によって建物高さ方向を軸方向としてピン接合されている、
建物の補強構造。
【請求項２】
前記基礎は、外周基礎の一部を構成又は当該外周基礎と連続する第１立上り部と、当該第１立上り部と平行に設けられると共に当該外周基礎の一部を構成又は当該外周基礎と連続する第２立上り部と、当該第１立上り部と当該第２立上り部とを繋ぐつなぎ梁と、を備え、
前記露出部は、前記つなぎ梁に設けられた柱型部とされている、
請求項１に記載の建物の補強構造。
【請求項３】
前記中柱は、建物高さ方向から見た断面形状が中空矩形状とされた閉断面構造とされている、
請求項１又は請求項２に記載の建物の補強構造。
【請求項４】
前記中柱は、前記天井大梁及び前記床大梁のそれぞれに対してピン接合されている、
請求項１〜請求項３の何れか１項に記載の建物の補強構造。
【発明の詳細な説明】
【技術分野】
【０００１】
本発明は、建物の補強構造に関する。
【背景技術】
【０００２】
下記特許文献１には、建物ユニットの固定構造に関する発明が開示されている。この建物ユニットの固定構造では、床大梁が基礎の立上り部にアンカーボルト及びスペーサを備えた固定部を介して固定されている。このため、建物ユニットに作用する水平荷重を固定部によって支持することができ、その結果、建物ユニットの水平荷重に対する剛性を確保することができる。
【先行技術文献】
【特許文献】
【０００３】
【特許文献１】特開２０１７−７１９０２号公報
【発明の概要】
【発明が解決しようとする課題】
【０００４】
しかしながら、上記特許文献１に記載の先行技術では、固定部で建物ユニットの建物下方側の部分を支持しているのみであり、建物ユニットの建物上方側の部分に作用する自重等の鉛直荷重に対する建物ユニットの剛性を確保するという点においては改善の余地が有る。
【０００５】
本発明は上記事実を考慮し、建物ユニットに作用する水平荷重及び鉛直荷重に対する建物ユニットの剛性を確保することができる建物の補強構造を得ることが目的である。
【課題を解決するための手段】
【０００６】
第１の態様に係る建物の補強構造は、第１の躯体を備え、一方向を長手方向として配置されて建物の下階側を構成する下階側建物ユニットと、第２の躯体を備え、当該第２の躯体の前記一方向一方側の柱が建物高さ方向から見て前記第１の躯体の当該一方側の柱と重なるように前記下階側建物ユニットの上面に載置されて前記建物の上階側を構成すると共に、当該一方向他方側の側面が前記下階側建物ユニットの当該他方側の側面に対して当該一方側にオフセットされたセットバックユニットとされた上階側建物ユニットと、前記下階側建物ユニットを支持する基礎と、を備え、前記第１の躯体の天井大梁と、当該天井大梁と建物高さ方向に対向して配置された当該第１の躯体の床大梁とは、建物高さ方向から見て前記第２の躯体の前記一方向他方側の柱の近傍に配置された中柱で建物高さ方向に連結され、前記床大梁と、前記基礎の一部を構成しかつ当該床大梁の建物下方側に配置されると共に地上に露出された露出部とは、建物高さ方向から見て前記中柱の近傍に配置されると共に当該床大梁と当該露出部との間に介在する支持部によって建物高さ方向を軸方向としてピン接合されている。
【０００７】
第１の態様に係る建物の補強構造では、第１の躯体を備えた下階側建物ユニットが一方向を長手方向として配置されて建物の下階側を構成している。この下階側建物ユニットの上面には、上階側建物ユニットが載置されており、当該上階側建物ユニットによって建物の上階側が構成されている。そして、下階側建物ユニットは、基礎によって支持されている。
【０００８】
また、上階側建物ユニットは、第２の躯体を備えており、当該第２の躯体の一方向一方側の柱は、建物高さ方向から見て第１の躯体の当該一方側の柱と重なるように配置されている。このため、上階側建物ユニットの一方向一方側では、第２の躯体の一方向一方側の柱から伝達される上階側建物ユニットの自重等の鉛直荷重を第１の躯体における一方向一方側の柱で支持することができる。
【０００９】
ところで、上階側建物ユニットは、一方向他方側の側面が下階側建物ユニットの当該他方側の側面に対して一方向一方側にオフセットされたセットバックユニットとされている。このため、第２の躯体の一方向他方側の柱から伝達される上階側建物ユニットの自重等の鉛直荷重は、第１の躯体の天井大梁で支持されることとなり、当該天井大梁に負荷が集中することが考えられる。その結果、下階側建物ユニットの鉛直荷重に対する剛性が不足することが考えられる。
【００１０】
また、下階側建物ユニットでは、地震等による水平荷重の影響を受けるため、水平荷重に対する剛性を確保できることが好ましい。
【００１１】
ここで、本態様では、中柱と支持部とを備えている。そして、中柱は、建物高さ方向から見て第２の躯体の一方向他方側の柱の近傍に配置されると共に、第１の躯体の天井大梁と、当該天井大梁と建物高さ方向に対向して配置された当該第１の躯体の床大梁とを建物高さ方向に連結している。
【００１２】
一方、支持部は、建物高さ方向から見て中柱の近傍に配置されると共に、第１の躯体の床大梁と、基礎の一部を構成しかつ当該床大梁の建物下方側に配置されると共に地上に露出された露出部との間に介在している。このため、本態様では、第１の躯体の天井大梁に作用する鉛直荷重が、中柱を介して第１の躯体の床大梁に伝達されると共に、当該床大梁及び支持部を介して基礎に伝達されて当該基礎によって支持される。その結果、下階側建物ユニットの鉛直荷重に対する剛性を確保することができる。
【００１３】
また、本態様では、支持部によって、第１の躯体の床大梁が、基礎の露出部に建物高さ方向を軸方向としてピン接合されている。このため、下階側建物ユニットに作用する荷重を、当該荷重による曲げモーメントを第１の躯体の床大梁に発生させることなく、支持部によって支持することができる。その結果、下階側建物ユニットの水平荷重に対する剛性を確保することができる。
【００１４】
第２の態様に係る建物の補強構造は、第１の態様に係る建物の補強構造において、前記基礎は、外周基礎の一部を構成又は当該外周基礎と連続する第１立上り部と、当該第１立上り部と平行に設けられると共に当該外周基礎の一部を構成又は当該外周基礎と連続する第２立上り部と、当該第１立上り部と当該第２立上り部とを繋ぐつなぎ梁と、を備え、前記露出部は、前記つなぎ梁に設けられた柱型部とされている。
【００１５】
第２の態様に係る建物の補強構造では、基礎が、第１立上り部と、当該第１立上り部と平行に設けられた第２立上り部と、当該第１立上り部と当該第２立上り部とを繋ぐつなぎ梁とを備えている。そして、第１立上り部及び第２立上り部は、それぞれ外周基礎の一部を構成又は当該外周基礎と連続しており、支持部は、つなぎ梁に設けられた柱型部に支持されている。このため、支持部から柱型部に伝達される荷重は、つなぎ梁を介して外周基礎側に分散される。
【００１６】
第３の態様に係る建物の補強構造は、第１の態様又は第２の態様に係る建物の補強構造において、前記中柱は、建物高さ方向から見た断面形状が中空矩形状とされた閉断面構造とされている。
【００１７】
第３の態様に係る建物の補強構造では、中柱が、建物高さ方向から見た断面形状が中空矩形状とされた閉断面構造とされており、中柱に強軸及び弱軸が発生することを抑制することができる。
【００１８】
第４の態様に係る建物の補強構造は、第１の態様〜第３の態様の何れか１態様に係る建物の補強構造において、前記中柱は、前記天井大梁及び前記床大梁のそれぞれに対してピン接合されている。
【００１９】
第４の態様に係る建物の補強構造では、中柱が第１の躯体の天井大梁及び床大梁のそれぞれに対してピン接合されており、当該天井大梁及び当該床大梁から当該中柱に荷重が伝達されることで当該中柱に曲げモーメントが発生することを抑制することができる。
【発明の効果】
【００２０】
以上説明したように、第１の態様に係る建物の補強構造では、建物ユニットに作用する水平荷重及び鉛直荷重に対する建物ユニットの剛性を確保することができるという優れた効果を有する。
【００２１】
第２の態様に係る建物の補強構造では、建物ユニットに作用する荷重を安定した状態で支持することができるという優れた効果を有する。
【００２２】
第３の態様に係る建物の補強構造では、建物ユニットの中柱に作用する種々の方向の荷重を安定した状態で支持することができるという優れた効果を有する。
【００２３】
第４の態様に係る建物の補強構造では、建物ユニットの中柱が曲げ変形することを抑制することができるという優れた効果を有する。
【図面の簡単な説明】
【００２４】
【図１】本実施形態に係る建物の補強構造が適用された建物ユニットにおける要部の構成を示す断面図（図７の１−１線に沿って切断した状態を示す断面図）である。
【図２】本実施形態に係る建物の補強構造が適用された建物ユニットにおける中柱の構成を示す側面図（図１の２方向矢視図）である。
【図３】本実施形態に係る建物の補強構造が適用された建物ユニットにおける支持部の周辺構造を示す平断面図（図１の３−３線に沿って切断した状態を示す断面図）である。
【図４】本実施形態に係る建物の補強構造の構成を示す分解斜視図である。
【図５】本実施形態に係る建物の補強構造が適用された建物の基礎の構成を示す側面図（図３の５方向矢視図）である。
【図６】本実施形態に係る建物の補強構造が適用された建物ユニットと基礎との関係を示す平面図である。
【図７】本実施形態に係る建物の補強構造が適用された建物の構成を模式的に示す側面図である。
【発明を実施するための形態】
【００２５】
以下、図１〜図７を用いて、本発明の実施形態に係る建物の補強構造について説明する。まず、図７を主に用いて、本実施形態に係る建物の補強構造が適用された「建物１０」の全体構造について説明する。
【００２６】
建物１０は、「基礎１２」と、基礎１２の建物上方側に複数配置されて建物１０の下階側を構成する下階側建物ユニットとしての「建物ユニット１４」と、建物ユニット１４の建物上方側に配置されて建物１０の上階側を構成する上階側建物ユニットとしての「建物ユニット１６」とを備えている。なお、建物ユニット１４と建物ユニット１６とは、基本的に同様の構成とされているため、以下では、建物ユニット１４の構成を中心に説明することとする。
【００２７】
建物ユニット１４は、一方向を長手方向として配置されており、第１の躯体としての「躯体１８」と、建物１０の図示しない外壁の一部を構成する外壁パネルと、建物１０の図示しない内壁の一部を構成する内壁パネルとを備えている。
【００２８】
図１にも示されるように、躯体１８は、天井フレーム２０と、建物高さ方向から見て天井フレーム２０と重なるように配置された床フレーム２２と、天井フレーム２０と床フレーム２２とを繋ぐ４本の「柱２４」とを含んで構成されている。
【００２９】
より詳しくは、天井フレーム２０は、各々溝形鋼によって構成されると共に矩形枠状に配置された長短二種類の天井大梁と、長い方の天井大梁２６間に架け渡された複数の図示しない天井小梁とを含んで構成されている。
【００３０】
床フレーム２２は、各々溝形鋼によって構成されると共に矩形枠状に配置された長短二種類の床大梁と、長い方の床大梁２８間に架け渡された複数の図示しない床小梁とを含んで構成されている。
【００３１】
そして、柱２４は、建物高さ方向から見た断面が閉断面とされると共に、天井フレーム２０の角部と床フレーム２２の角部とを建物高さ方向に繋いでいる。
【００３２】
一方、建物ユニット１６は、第２の躯体としての「躯体３０」と、建物１０の図示しない外壁の一部を構成する外壁パネルと、建物１０の図示しない内壁の一部を構成する内壁パネルとを備えている。
【００３３】
躯体３０は、躯体１８と同様に、天井フレーム３２と、建物高さ方向から見て天井フレーム３２と重なるように配置された床フレーム３４と、天井フレーム３２と床フレーム３４とを繋ぐ４本の「柱３６」とを含んで構成されている。
【００３４】
また、建物ユニット１６は、一方向を長手方向として配置されると共に、建物高さ方向から見て一方向一方側の柱３６が建物ユニット１４の一方向一方側の柱２４と重なるように建物ユニット１４の上面に載置されている。
【００３５】
さらに、建物ユニット１６の一方向の長さＬ１は、建物ユニット１４の一方向の長さＬ２よりも短い長さに設定されており、建物ユニット１６の一方向他方側の「側面１６Ａ」が、建物ユニット１４の一方向他方側の「側面１４Ａ」に対して一方向一方側にオフセットされている。すなわち、建物ユニット１６は、セットバックユニットとされている。
【００３６】
一方、基礎１２は、鉄筋コンクリート製とされると共に、図６に示されるように、建物高さ方向から見て格子状に形成された内側基礎３８と、建物高さ方向から見て内側基礎３８を囲むように枠状に形成された「外周基礎４０」と、内側基礎３８と外周基礎４０とをつなぐ「つなぎ梁４２」と、を備えている。
【００３７】
詳しくは、内側基礎３８は、地盤４４（図５参照）に埋設されたフーチング部３８Ａと、フーチング部３８Ａの幅方向中央部から垂直に立ち上げられた「立上り部３８Ｂ」とを含んで、その延在方向から見た断面形状が逆Ｔ字状に構成されている。
【００３８】
外周基礎４０も基本的に内側基礎３８と同様の構成とされており、フーチング部４０Ａと「立上り部４０Ｂ」とを含んで構成されている。
【００３９】
より詳しくは、内側基礎３８は、外周基礎４０のうち一方向に延びる部分同士を繋ぐと共に建物高さ方向から見て一方向と直交する方向に延びる中通り基礎３８Ｃを備えている。そして、本実施形態では、一例として、中通り基礎３８Ｃの立上り部３８Ｃ１と、外周基礎４０の立上り部４０Ｂのうち建物高さ方向から見て立上り部３８Ｃ１と平行に延びる部分とがつなぎ梁４２で繋がれている。
【００４０】
つなぎ梁４２は、その主な部分を構成すると共に側面視で矩形の板状とされた本体部４２Ａと、露出部としての「柱型部４２Ｂ」とを含んで構成されている。そして、本体部４２Ａは、上述した中通り基礎３８Ｃの立上り部３８Ｃ１と外周基礎４０の立上り部４０Ｂの一部と一体とされて、これらの間に架け渡された状態となっている。
【００４１】
柱型部４２Ｂは、図５に示されるように、本体部４２Ａの上面から建物上方側に突出された四角柱状とされており、少なくともその建物上方側の部分が地盤４４から露出された状態となっている。
【００４２】
より詳しくは、柱型部４２Ｂの内部には、主筋４６及びフープ筋４８が配筋されており、主筋４６は、本体部４２Ａの長手方向に延びる主筋５０と直交して建物上方側に延びており、フープ筋４８は、建物高さ方向から見て主筋４６を囲む環状とされると共に、建物高さ方向に複数配置されている。
【００４３】
また、柱型部４２Ｂには、有底筒状のホールアンカー５２が、建物高さ方向を長手方向とされた状態で埋設されており、このホールアンカー５２は、上述した主筋４６及びフープ筋４８に囲まれた状態となっている。
【００４４】
ここで、本実施形態では、図１に示されるように、つなぎ梁４２上に配置された床大梁２８と柱型部４２Ｂとが「支持部５４」を介して連結されている点に第１の特徴がある。また、つなぎ梁４２上に配置された床大梁２８と、この床大梁２８と建物高さ方向に対向して配置された天井大梁２６とが「中柱６８」で建物高さ方向に連結されている点に第２の特徴がある。以下、本実施形態の要部を構成する支持部５４及び中柱６８の構成について詳細に説明することとする。
【００４５】
図３及び図４にも示されるように、支持部５４は、上述したホールアンカー５２、クリップナット５６、アンカーボルト５８、ナット６０及びスペーサ６２を備えている。
【００４６】
クリップナット５６は、クリップ６４、ワッシャープレート６６及びウエルドナット６７を含んで構成されている。クリップ６４は、弾性変形可能な金属製の板材で構成されると共に、その建物上方側の部分を構成する上側挟持片部６４Ａと、その建物下方側の部分を構成する下側挟持片部６４Ｂと、これらを連結する連結片部６４Ｃとを含んで構成されている。
【００４７】
より詳しくは、上側挟持片部６４Ａ及び下側挟持片部６４Ｂは、その一端部同士が当接された状態又は床大梁２８の板厚よりも小さい間隔をあけた状態とされると共に、その他端部同士が連結片部６４Ｃを介して繋がれている。そして、クリップ６４は、上側挟持片部６４Ａと下側挟持片部６４Ｂとの間にこれらの一端部側から床大梁２８の建物下方側のフランジ部２８Ａが挿入されることで、その復元力によってフランジ部２８Ａを挟持可能とされている。
【００４８】
ワッシャープレート６６は、建物高さ方向から見て矩形の板状とされており、その板厚は床大梁２８の板厚よりも大きい寸法に設定されている。このワッシャープレート６６は、その下面が上側挟持片部６４Ａの上面に面接触された状態で、上側挟持片部６４Ａに溶接等による図示しない接合部で接合されている。そして、ワッシャープレート６６の上面には、ウエルドナット６７が、その軸方向をワッシャープレート６６の板厚方向とされた状態で溶接等による図示しない接合部で接合されている。
【００４９】
上記のように構成されたクリップナット５６は、床大梁２８の建物下方側のフランジ部２８Ａに、ウエルドナット６７が建物上方側とされた状態で取り付けられている。
【００５０】
アンカーボルト５８は、円柱状とされており、その一端部には、雄ねじ部５８Ａが設けられている。このアンカーボルト５８は、その長手方向を建物高さ方向とされた状態で配置されていると共に、雄ねじ部５８Ａの終端部側までナット６０が螺合された状態となっている。
【００５１】
そして、アンカーボルト５８は、雄ねじ部５８Ａが建物下方側からクリップ６４、フランジ部２８Ａ及びワッシャープレート６６のそれぞれに設けられた図示しない被挿通部に挿通されると共に、ウエルドナット６７に螺合されることで、床大梁２８に対して固定された状態となっている。なお、床大梁２８のフランジ部２８Ａには、その長手方向に沿った複数箇所に所定の間隔でアンカーボルト５８挿通用の被挿通部が形成されている。
【００５２】
一方、アンカーボルト５８の他端部側の部分は、ホールアンカー５２に挿入されている。このため、本実施形態では、支持部５４によって、床大梁２８と柱型部４２Ｂとが、建物高さ方向を軸方向としてピン接合された状態となっている。換言すれば、本実施形態では、床大梁２８における柱型部４２Ｂの周辺部が、柱型部４２Ｂに対して建物高さ方向周りに回動可能とされている。
【００５３】
スペーサ６２は、平面視で矩形の板状とされており、板厚方向を建物高さ方向とされると共に長手方向をつなぎ梁４２の本体部４２Ａの長手方向と直交する方向とされた状態で本体部４２Ａの上面部に載置されている。なお、スペーサ６２は、１つの支持部５４に対して２枚１組とされて、アンカーボルト５８に対して本体部４２Ａの長手方向一方側と他方側とのそれぞれに配置されている。また、スペーサ６２の板厚は、ナット６０の軸方向の寸法よりも大きい寸法に設定されている。
【００５４】
一方、中柱６８は、鋼材で構成されると共に、図１及び図２に示されるように、その主な部分を構成する本体部６９と、上側取付部７０と、下側取付部７２とを含んで構成されている。本体部６９は、建物高さ方向に延びる四角筒状、すなわち建物高さ方向から見た断面形状が中空矩形状とされた閉断面構造とされている。そして、本体部６９の建物上方側の端部には、上側取付部７０が設けられており、本体部６９の建物下方側の端部には、下側取付部７２が設けられている。
【００５５】
上側取付部７０は、天井大梁２６のウェブ部２６Ａの屋外側の面に沿って配置される側壁部７０Ａと、天井大梁２６の建物下方側のフランジ部２６Ｂの建物下方側の面に沿って配置される下壁部７０Ｂとを含んで、天井大梁２６の長手方向から見てＬ字状に構成されている。
【００５６】
そして、下壁部７０Ｂの建物下方側の面には、本体部６９の建物上方側の端部が、溶接等による図示しない接合部で接合されている。
【００５７】
一方、側壁部７０Ａには、図示しない２つの被挿通部が天井大梁２６の長手方向に所定の間隔をあけて設けられており、ウェブ部２６Ａの屋内側の面には、当該被挿通部に対応する図示しないウエルドナットが設けられている。そして、側壁部７０Ａの屋外側からボルト７４がウェブ部２６Ａに設けられたウエルドナットに螺合されることで、中柱６８が天井大梁２６に取り付けられている。
【００５８】
下側取付部７２は、床大梁２８のウェブ部２８Ｂの屋外側の面に沿って配置される側壁部７２Ａと、床大梁２８の建物上方側のフランジ部２８Ｃの建物上方側の面に沿って配置される上壁部７２Ｂとを含んで、床大梁２８の長手方向から見てＬ字状に構成されている。
【００５９】
そして、上壁部７２Ｂの建物上方側の面には、本体部６９の建物下方側の端部が、溶接等による図示しない接合部で接合されている。
【００６０】
一方、側壁部７２Ａには、図示しない２つの被挿通部が建物高さ方向に所定の間隔をあけて設けられており、ウェブ部２８Ｂの屋内側の面には、当該被挿通部に対応する図示しないウエルドナットが設けられている。そして、側壁部７２Ａの屋外側からボルト７６がウェブ部２８Ｂに設けられたウエルドナットに螺合されることで、中柱６８が床大梁２８に取り付けられている。
【００６１】
つまり、中柱６８は、天井大梁２６及び床大梁２８のそれぞれに対してピン接合された状態となっている。
【００６２】
また、中柱６８は、図３及び図７に示されるように、建物高さ方向から見て躯体３０の一方向他方側の柱３６の近傍に配置されると共に、建物高さ方向から見て支持部５４の近傍に配置されている。
【００６３】
＜本実施形態の作用及び効果＞
次に、本実施形態の作用並びに効果を説明する。
【００６４】
本実施形態では、図７に示されるように、躯体１８を備えた建物ユニット１４が一方向を長手方向として配置されて建物１０の下階側を構成している。この建物ユニット１４の上面には、建物ユニット１６が載置されており、建物ユニット１６によって建物１０の上階側が構成されている。そして、建物ユニット１４は、基礎１２によって支持されている。
【００６５】
また、建物ユニット１６は、躯体３０を備えており、躯体３０の一方向一方側の柱３６は、建物高さ方向から見て躯体１８の当該一方側の柱２４と重なるように配置されている。このため、建物ユニット１６の一方向一方側では、躯体３０の一方向一方側の柱３６から伝達される建物ユニット１６の自重等の鉛直荷重を躯体１８における一方向一方側の柱２４で支持することができる。
【００６６】
ところで、建物ユニット１６は、一方向他方側の側面１６Ａが建物ユニット１４の一方向他方側の側面１４Ａに対して一方向一方側にオフセットされたセットバックユニットとされている。このため、躯体３０の一方向他方側の柱３６から伝達される建物ユニット１６の自重等の鉛直荷重は、躯体１８の天井大梁２６で支持されることとなり、天井大梁２６に負荷が集中することが考えられる。その結果、建物ユニット１４の鉛直荷重に対する剛性が不足することが考えられる。
【００６７】
また、建物ユニット１４では、地震等による水平荷重の影響を受けるため、水平荷重に対する剛性を確保できることが好ましい。
【００６８】
ここで、本実施形態では、図１にも示されるように、中柱６８と支持部５４とを備えている。そして、中柱６８は、建物高さ方向から見て躯体３０の一方向他方側の柱３６の近傍に配置されると共に、躯体１８の天井大梁２６と、天井大梁２６と建物高さ方向に対向して配置された躯体１８の床大梁２８とを建物高さ方向に連結している。
【００６９】
一方、支持部５４は、建物高さ方向から見て中柱６８の近傍に配置されると共に、躯体１８の床大梁２８と、基礎１２の一部を構成しかつ床大梁２８の建物下方側に配置されると共に地上に露出された柱型部４２Ｂとの間に介在している。このため、本実施形態では、躯体１８の天井大梁２６に作用する鉛直荷重が、中柱６８を介して躯体１８の床大梁２８に伝達されると共に、床大梁２８及び支持部５４を介して基礎１２に伝達されて基礎１２によって支持される。その結果、建物ユニット１４の鉛直荷重に対する剛性を確保することができる。
【００７０】
また、本実施形態では、支持部５４によって、躯体１８の床大梁２８が、柱型部４２Ｂに建物高さ方向を軸方向としてピン接合されている。このため、建物ユニット１４に作用する荷重を、当該荷重による曲げモーメントを躯体１８の床大梁２８に発生させることなく、支持部５４によって支持することができる。その結果、建物ユニット１４の水平荷重に対する剛性を確保することができる。したがって、本実施形態では、建物ユニット１４に作用する水平荷重及び鉛直荷重に対する建物ユニット１４の剛性を確保することができる。
【００７１】
また、本実施形態では、図６に示されるように、基礎１２が、内側基礎３８の立上り部３８Ｂと外周基礎４０の立上り部４０Ｂとを繋ぐつなぎ梁４２を備えている。そして、支持部５４は、つなぎ梁４２に設けられた柱型部４２Ｂに支持されている。このため、支持部５４から柱型部４２Ｂに伝達される荷重は、つなぎ梁４２を介して外周基礎４０側に分散される。したがって、本実施形態では、建物ユニット１４に作用する荷重を安定した状態で支持することができる。
【００７２】
図１に戻り、本実施形態では、中柱６８の本体部６９が、建物高さ方向から見た断面形状が中空矩形状とされた閉断面構造とされており、中柱６８に強軸及び弱軸が発生することを抑制することができる。したがって、本実施形態では、建物ユニット１４の中柱６８に作用する種々の方向の荷重を安定した状態で支持することができる。
【００７３】
加えて、本実施形態では、図２に示されるように、中柱６８が躯体１８の天井大梁２６及び床大梁２８のそれぞれに対してピン接合されており、天井大梁２６及び床大梁２８から中柱６８に荷重が伝達されることで中柱６８に曲げモーメントが発生することを抑制することができる。したがって、本実施形態では、建物ユニット１４の中柱６８が曲げ変形することを抑制することができる。
【００７４】
＜上記実施形態の補足説明＞
（１）  上述した実施形態では、支持部５４がクリップナット５６を含んで構成されていたが、これに限らない。例えば、クリップナット５６を用いることなくウエルドナット６７を床大梁２８の建物下方側のフランジ部２８Ａに設けるようにしてもよい。
【００７５】
（２）  また、上述した実施形態では、支持部５４の支持箇所がつなぎ梁４２に設けられていたが、これに限らない。すなわち、支持部５４の支持箇所は、独立基礎に設けられていてもよいし、外周基礎４０や内側基礎３８の立上り部に設けられていてもよい。
【００７６】
（３）  さらに、上述した実施形態では、つなぎ梁４２が内側基礎３８の立上り部３８Ｂと外周基礎４０の立上り部４０Ｂとを繋いでいたが、つなぎ梁４２は、立上り部３８Ｂの一部同士を繋いでいてもよいし、立上り部４０Ｂの一部同士を繋いでいてもよい。
【００７７】
（４）  加えて、中柱６８の天井大梁２６への取り付け位置は、天井大梁２６の長さをＳとしたときに、天井大梁２６の撓みがＳ／３００かつ１[ｃｍ]以下である範囲において任意に設定可能である。また、中柱６８の床大梁２８への取り付け位置は、床大梁２８の撓みが１[ｃｍ]以下である範囲において任意に設定可能である。
【符号の説明】
【００７８】
１０      建物
１２      基礎
１４      建物ユニット（下階側建物ユニット）
１４Ａ    側面
１６      建物ユニット（上階側建物ユニット）
１６Ａ    側面
１８      躯体（第１の躯体）
２４      柱
３０      躯体（第２の躯体）
３６      柱
３８Ｂ    立上り部（第１立上り部、第２立上り部）
４０      外周基礎
４０Ｂ    立上り部（第１立上り部、第２立上り部）
４２      つなぎ梁
４２Ｂ    柱型部（露出部）
５４      支持部
６８      中柱
【図１】
2020114977.tif 000003
【図２】
2020114977.tif 000004
【図３】
2020114977.tif 000005
【図４】
2020114977.tif 000006
【図５】
2020114977.tif 000007
【図６】
2020114977.tif 000008
【図７】
2020114977.tif 000009